(57)【特許請求の範囲】
【請求項１】
前面を開口させた箱本体と、その開口部を覆うカバーとからなる電気機器収納用箱であって、
該カバーは、前面板と、その左右両端部に形成した左右一対の第１側面板と、該第１側面板の少なくとも一か所に形成した突状係止部を有し、
該箱本体は、背面板と、その端部に形成した第２側面板と、該第２側面板に形成されカバーの突状係止部と係止する孔状係止部を有し、少なくとも一つの第２側面板の端部を、カバーの突状係止部を当接して孔状係止部に導くガイド面として形成し、
該カバーは、更に、前面板の上下両端部に形成した上下一対の第３側面板と、該第３側面板に形成した通気孔部を有し、箱本体の側面には、カバーの突状係止部を、背面板からの高さが異なる位置で係止する孔状係止部が複数形成したことを特徴とする電気機器収納用箱。
【請求項２】
箱本体が、連結した複数のボデーからなることを特徴とする請求項１記載の電気機器収納用箱。
【請求項３】
該複数のボデーは第２側面板の少なくとも一方の面が開口されており、
一方のボデーの開口端部には背面板の開口端部側の中央部に形成された連結部を介して連結部材を形成し、
他方のボデーの開口端部には突出部を形成し、
該連結部の両端に形成されたスリットに突出部が嵌合し、
複数のボデーを連結することを特徴とする請求項２記載の電気機器収納用箱。
【請求項４】
背面板全体から外周部を除き方形状に内側に形成した電気機器取付用のエンボス部を形成したことを特徴とする請求項１〜３の何れかに記載の電気機器収納用箱。
【発明の詳細な説明】
【技術分野】
【０００１】
本発明は、コントロールケースなどの小型機器を収納する電気機器収納用箱に関するものである。
【背景技術】
【０００２】
従来から電気機器収納用箱において、箱本体の開口部に施蓋される蓋をネジ等の締付金具により箱本体に締付ける構造が一般的に採用されている(特許文献１)。
【０００３】
しかし、電気機器収納用箱が小型機器を収納するコントロールケース等、小型の電気機器収納用箱である場合、該箱本体に対する締付金具のスペース占有割合が大きくなり、機器収納スペースが圧迫され、好ましくないという問題があった。
【０００４】
また、該問題解決のために、従来使用していた通常サイズの締付金具を特殊サイズに小型化した場合、小型の締付金具の取り扱いが困難であり該電気機器収納用箱の開閉作業性が悪くなる問題や、コストが高くなる問題がある。
【先行技術文献】
【特許文献】
【０００５】
【特許文献１】特開２００３−３３２７６７号公報
【発明の概要】
【発明が解決しようとする課題】
【０００６】
本発明の目的は前記問題を解決し、ネジ等の締付金具を用いずに蓋を箱本体に固定することができ、しかも、開閉作業性に優れた小型の電気機器収納用箱を低コストに提供することである。
【課題を解決するための手段】
【０００７】
上記課題を解決するためになされた本発明の電気機器収納用箱は、前面を開口させた箱本体と、その開口部を覆うカバーとからなる電気機器収納用箱であって、該カバーは、前面板と、その左右両端部に形成した左右一対の第１側面板と、該第１側面板の少なくとも一か所に形成した突状係止部を有し、該箱本体は、背面板と、その端部に形成した第２側面板と、該第２側面板に形成されカバーの突状係止部と係止する孔状係止部を有し、少なくとも一つの第２側面板の端部を、カバーの突状係止部を当接して孔状係止部に導くガイド面として形成し、該カバーは、更に、前面板の上下両端部に形成した上下一対の第３側面板と、該第３側面板に形成した通気孔部を有し、箱本体の側面には、カバーの突状係止部を、背面板からの高さが異なる位置で係止する孔状係止部が複数形成したことを特徴とするものである。
【０００９】
請求項２記載の発明は、請求項１記載の電気機器収納用箱において、箱本体が、連結した複数のボデーからなることを特徴とするものである。
【００１０】
請求項３記載の発明は、請求項２記載の電気機器収納用箱において、該複数のボデーは第２側面板の少なくとも一方の面が開口されており、一方のボデーの開口端部には背面板の開口端部側の中央部に形成された連結部を介して連結部材を形成し、他方のボデーの開口端部には突出部を形成し、該連結部の両端に形成されたスリットに突出部が嵌合し、複数のボデーを連結することを特徴とするものである。
【００１１】
請求項４記載の発明は、請求項１〜３の何れかに記載の電気機器収納用箱において、背面板全体から外周部を除き方形状に内側に形成した電気機器取付用のエンボス部を形成したことを特徴とするものである。
【発明の効果】
【００１３】
本発明に係る電気機器収納用箱は、前面を開口させた箱本体と、その開口部を覆うカバーとからなる電気機器収納用箱であって、該カバーを、前面板と、その左右両端部を箱本体側に形成した左右一対の第１側面板と、該第１側面板の少なくとも一か所に形成した突状係止部を有する構成とし、該箱本体を、背面板と、その端部に形成した第２側面板と、該第２側面板に形成されカバーの突状係止部と係止する孔状係止部を有する構成とし、少なくとも一つの第２側面板の端部を、カバーの突状係止部を当接して孔状係止部に導くガイド面として形成した。当該構成によれば、ネジ等の締付金具を用いることなく、カバーの突状係止部を該箱本体のガイド面に当接させて孔状係止部にガイドして係止させて電気機器収納用箱とすることができるため、開閉作業性に優れた小型の電気機器収納用箱を低コストに提供することができる。
【００１４】
また本発明では、該カバーを、更に、前面板の上下両端部に形成した上下一対の第３側面板と、該第３側面板に形成した通気孔部を有し、箱本体の側面には、カバーの突状係止部を、背面板からの高さが異なる位置で係止する孔状係止部が複数形成された構成として、背面からの高さが異なる位置でカバーを係止可能とした。また、最背面側の孔状係止部以外の孔状係止部を選択した場合には、カバーの水平面と該箱本体の側面との間に隙間が生じ、電気機器収納用箱の換気や放熱を行うことができる。また、請求項２記載の発明の構成によれば、該隙間が通気孔部で覆われるため、該隙間から電気機器収納用箱内へ指が入って怪我をする等の事故を効果的に防止することができる。
【００１５】
請求項２記載の発明によれば、箱本体を、連結した複数のボデーからなる構成とすることにより、箱本体のサイズを適宜変更して、最適なサイズとすることができる。
【００１６】
請求項３記載の発明によれば、請求項３記載の発明における該複数のボデーは第２側面板の少なくとも一方の面が開口されており、一方のボデーの開口端部には背面板の開口端部側の中央部に形成された連結部を介して連結部材を形成し、他方のボデーの開口端部には突出部を形成し、該連結部の両端に形成されたスリットに突出部が嵌合し、複数のボデーを連結することにより、ボデー同士の嵌合においてもねじを不要として部品点数の削減を図りつつ、強固に連結させることができる。
【００１７】
請求項４記載の発明によれば、該箱本体の背面板全体から外周部を除き略方形に内側に形成した電気機器取付用のエンボス部を形成したことにより、該エンボス加工部に機器を直接取り付け可能となり、機器取り付け用の端子台を別途取り付ける必要がなくなり、部品点数の削減が図られる。また、壁取付の際、ねじやナットが背面板の外周部より飛び出さない構造となるために取り付けも容易で、外観上も好ましい。
【図面の簡単な説明】
【００１８】
【図１】実施形態１の電気機器収納用箱およびそのカバーの全体図である。
【図２】図１のＡ−Ａ断面図である。
【図３】実施形態１の電気機器収納用箱およびそのカバーの全体図である。
【図４】実施形態１の電気機器収納用箱およびそのカバーの全体図である。
【図５】実施形態１の電気機器収納用箱およびそのカバーの全体図である。
【図６】実施形態１の電気機器収納用箱およびそのカバーの全体図である。
【図７】実施形態２の電気機器収納用箱およびそのカバーの全体図である。
【図８】実施形態３の電気機器収納用箱の説明図である。
【図９】実施形態４の電気機器収納用箱の説明図である。
【図１０】実施形態４の電気機器収納用箱の説明図である。
【図１１】実施形態４の電気機器収納用箱の説明図である。
【図１２】実施形態４の電気機器収納用箱の説明図である。
【発明を実施するための形態】
【００１９】
以下に本発明の好ましい実施形態を示す。
【００２０】
（実施形態１）
図１には、実施形態１の電気機器収納用箱を示し、図２には、図１のＡ−Ａ断面斜視図を示している。本発明の電気機器収納用箱１は、前面に開口部２を有する箱本体３と、該開口部２を覆うカバー４とから構成される。
【００２１】
カバー４は、略コ字状に形成され、箱本体３の開口部２を覆う前面板５と、該前面板５の左右両端部を箱本体３側に折り曲げて形成した左右一対の第１側面板６と、該第１側面板６の少なくとも一か所に形成した突状係止部７を有している。突状係止部７は該箱本体３側に向かって突出形成した構造となっている。
【００２２】
本実施形態では、突状係止部７を左第１側面板６１と右第１側面板６２の各々の両先端部付近に２か所ずつ合計４つ形成している。
【００２３】
箱本体３は、背面板８と、該背面板８の端部をカバー側に折り曲げて形成した第２側面板９から構成されている。
【００２４】
箱本体３の第２側面板９は、カバー４の左第１側面板６１・右第１側面板６２と各々平行に配置される左第２側面板９１・右第２側面板９２と、左第２側面板９１・右第２側面板９２に直交して形成された上第２側面板９３・下第２側面板９４からなり、左第２側面板９１・右第２側面板９２には、上第２側面板９３・下第２側面板９４の該直交端部付近にカバー４の突状係止部７を係止する孔状係止部１０を形成している。
【００２５】
背面板８から上第２側面板９３・下第２側面板９４の先端部までの高さは、背面板８から左第２側面板９１・右第２側面板９２の高さよりも高く形成されている。箱本体３にカバー４を装着する際には、上第２側面板９３・下第２側面板９４の内側面の端部にカバー４の突状係止部７を当接させながら、左第２側面板９１・右第２側面板９２に形成された孔状係止部１０までガイドして嵌合させることができる。つまり、上第２側面板９３・下第２側面板９４をカバー４の突状係止部７を当接して左第２側面板９１・右第２側面板９２の孔状係止部１０に導くガイド面としたものである。
【００２６】
当該構成によれば、図２に示すように、カバー４の突状係止部７を該箱本体３の上第２側面板９３・下第２側面板９４に当接させて孔状係止部１０にガイドした上で、該突状係止部７と孔状係止部１０とを係止させることにより、ネジ等の締付金具を用いることなくカバー４と箱本体を係止した電気機器収納用箱１とすることができるため、開閉作業性に優れた小型の電気機器収納用箱を低コストに提供することができる。
【００２７】
なお、開閉作業性の観点から、カバー４の水平方向長さを、箱本体３の水平方向長さより長く形成している。このような構造にすることによって、箱本体３の上第２側面板９３・下第２側面板９４からカバー４の左右の第１側面板６が突出し引掛部１１が形成される。作業者は、引掛部１１に指を引掛けて取外し作業等をすればよいため、作業性の向上が図られる。
【００２８】
また、図２に示すように、箱本体３の背面板８全体から外周部を除き方形状に内側に形成した電気機器取付用のエンボス加工を施し、エンボス加工部８ａを形成する。そのため、該エンボス加工部８ａに機器を直接取り付け可能となり、機器取り付け用の基台を別途取り付ける必要がなくなり、部品点数の削減が図られる。また、壁取付の際、外周部８ｂにねじ穴部８ｃを設けることによりねじなどにより壁面に取り付けることが可能となっている。また、エンボス加工部８ａに機器を取り付ける際、機器取付用のねじやナットが背面の外周部８ｂより飛び出さない構造となるために取り付けも容易で、外観上も好ましい。
【００２９】
本実施形態では、図１に示すように、カバー４の４か所に突状係止部７を設け、箱本体３の４か所に孔状係止部１０を設けているが、本実施形態にはとくに限定されず、例えば、図３に示すように、カバー４の左第１側面板６１に突状係止部７を２つ形成し、右第１側面板６２に孔状係止部１０を２つ形成し、箱本体３の上第２側面板９３・下第２側面板９４の右第２側面板９２側の端部の下側に突状係止部７を各々一つずつ形成し、左第２側面板９１の上第２側面板９３・下第２側面板９４の直交端部付近に孔状係止部１０を各々一つずつ形成してもよい。
【００３０】
その他、図４に示すように、カバー４の左第１側面板６１に孔状係止部１０と突状係止部７を各１つずつ形成し、右第１側面板６２にも孔状係止部１０と突状係止部７を各一つずつ形成し、箱本体３の上第２側面板９３の両端部の下側に突状係止部７を各々１つずつ形成し、左第２側面板９１・右第２側面板９２の下第２側面板９４の直交端部付近に孔状係止部１０を各々一つずつ形成してもよく、更に、図５に示すように、図４における孔状係止部１０と突状係止部７を、各々対角位置に配置してもよい。なお、図３から図５において箱本体３に突状係止部７を形成する場合には上第２側面板９３・下第２側面板９４の端部に形成したもので説明をしたが、左第２側面板９１・右第２側面板９２に突状係止部７を形成して良いことは勿論である。
【００３１】
また、図６に示すように、カバー４の左第１側面板６１・右第１側面板６２に突状係止部７を４か所形成し、箱本体３の上第２側面板９３・下第２側面板９４に孔状係止部１０をそれぞれ２か所形成し、突状係止部７は上第２側面板９３・下第２側面板９４の端部にガイドされながら上第２側面板９３・下第２側面板９４に形成した孔状係止部１０に係止させることもでき、また、その他の実施例として、左第２側面板９１・右第２側面板９２の孔状係止部１０の上に突状係止部７をガイドする切欠などガイド溝２５を形成することにより孔状係止部１０を形成する左第２側面板９１・右第２側面板９２自身もカバー４の突状係止部７のガイド面とすることも可能で、より容易にカバー４の突状係止部７を孔状係止部１０にガイドさせることが出来るものである。図１〜６に示すのいずれの実施形態においても、突状係止部７は箱本体部３の第２側面板９の端部にガイドされながら、孔状係止部１０に係止される構造となるものである。なお、カバー４もしくは箱本体３に形成した突状係止部７は、該箱本体部３もしくは該カバー４に形成した孔状係止部１０より突出しても良い。孔状係止部１０より突出する場合は該カバー４と該箱本体３を強固に係止可能となり、突出しない場合は美観が良くなり、突出部による指の引っ掛かり等がなくなるものである。
【００３２】
また、図１〜６に示すように、箱本体３の上第２側面板９３・下第２側面板９４には、電線・ケーブルの通過孔やＬＥＤなどのランプを取付孔として使用可能なノックアウト部１２を形成している。該ノックアウト部１２は、カバー４の前面板５に形成してもよい。
【００３３】
（実施形態２）
図７には、実施形態２の電気機器収納用箱を示している。本実施形態の基本構成は、実施形態１のカバー４に通気孔部１３を形成し、箱本体３に、該カバー４を異なる高さ位置で係止するための複数段の孔状係止部１０を設けたものである。
【００３４】
本実施形態のカバー４は、略コ字状に形成され、箱本体３の開口部２を覆う前面板５と、該前面板５の左右両端部を箱本体３側に折り曲げて形成した左右一対の第１側面板６と、該第１側面板６の少なくとも一か所に形成した突状係止部７を有していることは、実施形態１と同様であるが、更に、前面板５の上下両端部を箱本体側に折り曲げて形成した上第３側面板６３・下第３側面板６４と、該上下第３側面板に形成した通気孔部１３を有している。
【００３５】
箱本体３の左第２側面板９１・右第２側面板９２には、該カバー４の突状係止部７を、背面板８からの高さが異なる位置で係止する孔状係止部１０を複数形成している。このうち、最も背面板８側に位置する孔状係止部１０は、突状係止部７を該孔状係止部１０に係止させた場合、カバー４の前面板５の内側面が該箱本体３の上第２側面板９３・下第２側面板９４の上端部と内接する位置にくるように形成されている。
【００３６】
本実施形態の構成によれば、背面板８からの高さが異なる位置でカバー４を係止することができ、最背面側の孔状係止部以外の孔状係止部１０を選択した場合には、カバー４の前面板５と該箱本体３の側面９との間に隙間が生じ、電気機器収納用箱１の換気や放熱を行うことができる。また、該隙間が通気孔部１３で覆われるため、該隙間から電気機器収納用箱内へ指等の進入を効果的に防止することができる。
【００３７】
なお、図７には、格子状に形成した通気孔部１３を示しているが、格子状に限定するものでなく、例えばパンチング形状等であっても良い。
【００３８】
（実施形態３）
また、図１〜図７までの実施形態例においては、第２側面板９は背面板８から折り曲げて形成したものであるが、図８のように上第２側面板９３・下第２側面板９４及び背面板１９をそれぞれ別部材で形成し、溶接などで取り付けることにより箱本体３を形成するものであっても良い。背面板１９と上第２側面板９３・下第２側面板９４を別部材で形成することにより、鉄材を打ち抜いて利用できる部分が小さい一方の廃材から背面板１９、他の廃材から上第２側面板９３・上第２側面板９３を切り抜いて利用できるので資源の有効活用が可能となるものである。図上では左第２側面板９１と右第２側面板９２は記載していないが同様に別部材として用意しても良いものである。
【００３９】
図８の実施例においては、背面板１９の上下端部に上第２側面板９３・下第２側面板９４との取付けを行う取付部１９ａを形成し、該背面板１９の左右端部に折曲部１９ｂを形成している。該折曲部１９ｂの両端部は折り曲げを行わず該取付部１９ａの端部と該折曲部１９ｂ端部の間に空隙を形成し、空隙を孔状係止部１０としたものであり、また、該折曲部１９ｂの両端部まで形成し、該取付部１９ａとの直交端部付近に孔状係止部を設けても良い。このような形状にしておけば、該折曲部１９ｂが従来の左第２側面板９１と右第２側面板９２の役目を持つものとなり、左第２側面板９１と右第２側面板９２を別部材として用意することなく図１〜図７と同様の効果を得ることが可能である。カバー４の突状係止部７は上第２側面板９３・下第２側面板９４の端部にガイドされながら背面板８の折曲部１９ｂの両端部に形成した孔状係止部１０に係止させるものである。また、カバー４にねじ３０を取り付け、上第２側面板９３・下第２側面板９４のカバー４側の字上端面にねじ３０を受けるネジ受け部４０を形成して箱の開閉を行うものであり、図８のようなねじ受け部４０の構造を図１〜図７の実施形態例に使用して良いことは勿論である。
【００４０】
（実施形態４）
図９〜１２には、実施形態３の電気機器収納用箱を示している。本実施形態の基本構成は、複数のボデー１４を連結し箱本体３を構成したものである。
【００４１】
該ボデー１４間の連結構造としては、該複数のボデー１４は第２側面板９の少なくとも一方の面が開口されており、一方のボデー１４の開口端部には背面板の中央部の連結部２１を介して連結部材１５を形成し、他方のボデー１４の開口端部には突出部１６を形成し、該連結部２１の両端に形成されたスリット２０に該突出部１６が嵌合し複数のボデー１４を連結する連結構造を採用している。カバー４は、複数のボデー１４を連結して構成した箱本体３を1つのカバー４で覆う構造としている。
【００４２】
当該連結構造によれば、ボデー１４同士の嵌合においてもねじを不要として部品点数の削減を図りつつ、強固に連結させることができる。
【００４３】
ボデー１４の連結配置や連結数は特に限定されず、例えば、図９〜１０に示すように２つのボデー１４を連結させて箱本体３の左第２側面板９１・右第２側面板９２を形成するタイプ、図１１に示すように２つのボデー１４を連結させて箱本体３の上第２側面板９３・下第２側面板９４を形成するタイプ、図１２に示すように３つのボデー１４を連結させて箱本体３の左第２側面板９１・右第２側面板９２を形成するタイプ、等がある。
【００４４】
図９に示す実施形態では、紙面向かって左側のボデー１４ａと、紙面向かって右側のボデー１４ｂを連結させて箱本体３を構成している。本実施形態では、ボデー１４ｂは下第２側面板９４を有さず当該側面は開口構造となっており、ボデー１４ｂの左第２側面板９１・右第２側面板９２には各々、ボデー１４ｂの内部方向にＬ字状に折り曲げた構造の突出部１６が形成されている。左第２側面板９１・右第２側面板９２の該折り曲げ側の端部には、孔状係止部１７が形成されている。ボデー１４aは上第２側面板９３を有さず当該側面は開口構造をなっており、開口した先端部には、該開口断面と略同一形状のコ字状の連結部材１５が連結されている。該連結部材１５の両腕部には突状係止部１８が形成されている。連結部材１５をボデー１４ｂの背面板８の開口端部側の中央部に形成された連結部２１で連結する構造とすることにより、該連結部２１の左右両端部にはＬ字状のスリット２０が各々形成され、該スリット２０にボデー１４ａの突出部１６を嵌め込み、更に突状係止部１８を孔状係止部１７に係止させることにより、ボデー１４aとボデー１４ｂを強固に連結して箱本体３を構成することができる。
【００４５】
図１０に示す実施形態は、基本構造は図９に示す実施形態と同様であるが、図９に示す実施形態のコ字状の連結部材１５に代えて、ボデー１４ａの開口した先端部に、該開口部を塞ぐように立設させた板状の連結部材１５を連結しているため、ボデー１４ａとボデー１４ｂを各々独立した空間として使用することができる。図１０に示す実施形態においても、開口端部側の中央部に形成された連結部２１の左右両端部にＬ字状のスリット２０が形成されるため、該スリット２０に突出部１６を嵌合させるものである。ただし、この実施例においては突状係止部１８と孔状係止部１７は、連結部材１５と突出部１６に形成するものである。
【００４６】
図１１に示す実施形態では、紙面向かって左上側のボデー１４ｃと、紙面向かって右下側のボデー１４ｄを連結させて箱本体３を構成している。本実施形態では、ボデー１４ｃは右第２側面板９２を有さず当該側面は開口構造をなっており、上第２側面板９３・下第２側面板９４には各々、ボデー１４ａの内部方向にＬ字状に折り曲げた構造の突出部１６が形成されている。ボデー１４ｄは左側面９１を有さず当該側面は開口構造をなっており、開口した先端部には、該開口部を塞ぐように立設させた板状の連結部材１５が連結され、ボデー１４ａの突出部１６が嵌合可能としている。なお、図１１の実施形態においては各々独立した空間として使用することが可能な嵌合構造を例として表示したが、図９に示すように各々の空間を連結して使用することが可能な嵌合構造としても良いことは勿論である。
【００４７】
図１２に示す実施形態は、３つのボデー１４を連結させて箱本体３の左第２側面板９１・右第２側面板９２を形成するものである。紙面向かって中央のボデー１４ｅは、上第２側面板９３・下第２側面板９４を有さず当該側面は開口構造となっており、それぞれの開口端部には連結部材１５が連結されている。ボデー１４ｅの左側のボデー１４ｆは上第２側面板９３を有さず突出部１６が形成、ボデー１４ｅの右側のボデー１４ｇは下第２側面板９４を有さず突出部１６が形成されており、それぞれ嵌合可能に形成しているものである。本実施形態ではボデー１４ｅには連結部材１５を形成したものであるが、ボデー１４ｅに突出部１６を形成し、ボデー１４ｆ及びボデー１４ｇに連結部材１５を形成するようなものであるなど、使用状況にあわせて連結部材１５、突出部１６の形成方法を変えても良い。
【符号の説明】
【００４８】
１  電気機器収納用箱
２  開口部
３  箱本体
４  カバー
５  前面板
６  第１側面板
６１  左第１側面板
６２  右第１側面板
６３  上第３側面板
６４  下第３側面板
７  突状係止部
８  背面板
８ａ  エンボス加工部
８ｂ  外周部
８ｃ  ねじ穴部
９  第２側面板
９１  左第２側面板
９２  右第２側面板
９３  上第２側面板
９４  下第２側面板
１０  孔状係止部
１１  引掛部
１２  ノックアウト部
１３  通気孔部
１４  ボデー
１５  連結部材
１６  突出部
１７  孔状係止部
１８  突状係止部
１９  背面板
１９ａ  取付部
１９ｂ  折曲部
２０  スリット
２１  連結部
２５  ガイド溝
３０  ねじ
４０  ねじ受け部
【図１】
0005578660.tif 000002
【図２】
0005578660.tif 000003
【図３】
0005578660.tif 000004
【図４】
0005578660.tif 000005
【図５】
0005578660.tif 000006
【図６】
0005578660.tif 000007
【図７】
0005578660.tif 000008
【図８】
0005578660.tif 000009
【図９】
0005578660.tif 000010
【図１０】
0005578660.tif 000011
【図１１】
0005578660.tif 000012
【図１２】
0005578660.tif 000013